(57)【特許請求の範囲】
【請求項１】
造礁群体サンゴの生きているサンゴ群体部分に他の物体を付着させておき、当該サンゴ群体の一部が前記物体の上まで拡張し被覆した状態において、該物体を前記のようにして拡張被覆した部分と一緒に分離して、別の場所に移植し、成長させることを特徴とする造礁群体サンゴの増殖方法。
【請求項２】
前記の別の場所が、既に死滅した造礁群体サンゴの一部であることを特徴とする請求項１に記載の造礁群体サンゴの増殖方法。
【請求項３】
前記の他の物体が、合成樹脂片、木片、死滅したサンゴ片、死骸、礫、琉球石灰岩の加工物又は琉球石灰岩を粉粒状に潰して成型した物の中のいずれかであることを特徴とする請求項１または請求項２に記載の造礁群体サンゴの増殖方法。
【発明の詳細な説明】
【０００１】
【産業上の利用分野】
本発明は、造礁群体サンゴの増殖方法に関する。
【０００２】
【従来の技術】
近年、赤土流出による海浜の汚染でサンゴの生息環境が悪化していること、地球環境の異変にともなうサンゴの白化現象でサンゴが絶滅しつつあること、等が報じられている。また、オニヒトデによってサンゴが食い荒らされるなど、サンゴの繁殖に支障を来している。
【０００３】
一方では、人工的にサンゴの移植や増殖などが試みられている。例えば特公平３−６４０８９号公報には、サンゴ群体から莢肉部で覆われた骨格を含む破片を採取し、水中に定置した基体の表面に固着することが提案されている。
【０００４】
また特許第２７５４３１４号公報には、造礁群体サンゴから、莢肉部で覆われた骨格を含む破片を多数採取し、移植して増殖する方法が開示されている。
【０００５】
【発明が解決しようとする課題】
しかしながら、いずれの方法も、サンゴ群体から生きたサンゴ群体の一部を切り取って移植するのであるから、切り取られる方では、サンゴ群体が減少していることになる。したがって、厳密には、移植であって、人工的な増殖とは言えない。
【０００６】
結果的に、この方法では、サンゴ群体の破壊を伴うので、多くのサンゴ群体を切り取ることはできず、効果的な増殖方法とは言えない。
【０００７】
本発明の技術的課題は、このような問題に着目し、移植ではなく、人工的に確実にサンゴを増殖可能とすることにある。
【０００８】
【課題を解決するための手段】
本発明の技術的課題は次のような手段によって解決される。本発明は、複数のポリプからなる群体サンゴを対象とする。請求項１は、造礁群体サンゴの生きているサンゴ群体部分に他の物体を付着させておき、当該サンゴ群体の一部が前記物体の上まで拡張し被覆した状態において、該物体を前記のようにして拡張被覆した部分と一緒に分離して、別の場所に移植し、成長させることを特徴とする造礁群体サンゴの増殖方法である。
【０００９】
造礁群体サンゴの生きているサンゴ群体部分に木片や死滅したサンゴ礫などのような別の物体を付着させておくと、当該サンゴ群体の一部が前記物体の上まで拡張して、当該物体の上を被覆する現象が確認できた。
【００１０】
本発明は、このように、造礁群体サンゴの生きているサンゴ群体部分を他の物体まで拡張被覆さてから、該物体を前記のようにして拡張被覆した部分とともに分離して、別の場所に移植し、成長させるので、単なる移植ではなく、拡張させてから、当該拡張部を分割するので、確実に増殖できる。その結果、分割される方のサンゴ群体のダメージを最小限に抑えることができる。
【００１１】
請求項２は、前記の別の場所が、既に死滅した造礁群体サンゴの一部であることを特徴とする請求項１に記載の造礁群体サンゴの増殖方法である。
【００１２】
請求項１の場合は、別の物体と一緒に分割した造礁群体サンゴをどこに移植してもよいが、請求項２の場合は、既に死滅した造礁群体サンゴの一部に移植するので、一度死滅した造礁群体サンゴを元に蘇らせることができる。
【００１３】
請求項３は、前記の他の物体が、合成樹脂片、木片、死滅したサンゴ片、死骸、礫、琉球石灰岩の加工物又は琉球石灰岩を粉粒状に潰して成型した物の中のいずれかであることを特徴とする請求項１または請求項２に記載の造礁群体サンゴの増殖方法である。
【００１４】
このように、生きているサンゴ群体部分に付着させる他の物体として、合成樹脂片、木片、死滅したサンゴ片、死骸、礫、琉球石灰岩の加工物又は琉球石灰岩を粉粒状に潰して成型した物の中のいずれかを利用できるため、いろいろな材質を使用できる。また、死滅した自然のサンゴ片や礫を使用すると、合成樹脂製の物体を使用する場合よりは、環境破壊にならない。しかし、木片も合成樹脂などの片でも、サンゴ群体が被覆し、拡張することが認められたので、他の物体としては、サンゴ片や琉球石灰岩製の成型品に限られず、いろいろな材質を使用できる。
【００１５】
【発明の実施の形態】
次に本発明による造礁群体サンゴの増殖方法が実際上どのように具体化されるか実施形態を説明する。図１は本発明を枝状サンゴ類に実施した例であり、図２はその一部の拡大図である。
【００１６】
枝状サンゴ類の先端の生きているサンゴ群体部分１に、例えば割り箸状の片２などのような別の物体を付着させておく。付着させるには、紐３などで該物体２を枝状サンゴ類の先端の生きているサンゴ群体部分にしばりつけるなどの手法でよい。
【００１７】
このように、枝状サンゴ類の先端の生きているサンゴ群体部分１に別の物体２を付着させておくと、２〜３か月もすると、図３のように、サンゴ群体が次第に別の物体２の上まで拡張してきて被覆し、遂には別の物体２の上を覆い尽くしてしまう。４が拡張被覆部分である。
【００１８】
サンゴ群体からなる拡張被覆部分４が、分割可能な程度まで成長し拡大した時点で、紐３を切って、別の物体２を枝状サンゴ類の先端１から分離する。このとき、拡張部分４も元のサンゴ群体１から分離して、分割する。図４は、別の物体２と一緒に分割した拡張部分４である。
【００１９】
次に、この分割した拡張部分４と別の物体２とを一緒に、別の位置に移動し、固定しておくと、拡張部分４のサンゴ群体が次第に増殖して、通常の造礁群体サンゴと同様に大型化していく。
【００２０】
一方、別の物体２と一緒に拡張部分４を分離した後には、図５に示すように、別の物体２の下側の太陽光の届かない部位６は、サンゴ群体が死滅している場合が多いが、別の物体２を除去した後は、太陽光が効果的に照射されるので、短期間に元の状態の復元する。したがって、分割される元のサンゴ群体に与えるダメージは比較的少ない。
【００２１】
枝状サンゴ類の先端の生きているサンゴ群体部分１に付着させるの物体２としては、枝状サンゴ類の死骸である棒状体ないし枝状体を用いてもよい。すなわち、水質汚染や白化現象、オニヒトデの食害などで死滅したサンゴ片や海中に沈んでいる死滅して残ったサンゴ片を用いる。
【００２２】
あるいは、海浜に打ち上げられたサンゴ片や礫でもよい。使用するサンゴ片の種類は、増殖しようとするサンゴの種類にもよるが、枝状ミドリイシ類などの枝状体ないし棒状体などが扱い易い。そして、表面の付着物などを清掃して使用する。
【００２３】
このように、死滅した自然のサンゴ片や礫を使用すると、合成樹脂製の物体を使用する場合よりは、環境破壊にならない。
【００２４】
また、琉球石灰岩を棒状に加工したり、琉球石灰岩を粉粒状に潰しして棒状に固めて、サンゴ片の代用にしてもよい。サイズは、長さ５〜２０ｃｍ、直径３〜２０ｍｍ程度が適している。このように、人工の棒状体を使用することもできる。
【００２５】
なお、実験の結果、木片も合成樹脂などの片でも、サンゴ群体が被覆し、拡張することが認められたので、他の物体としては、サンゴ片や琉球石灰岩製の成型品に限られず、いろいろな材質を使用できる。
【００２６】
別の物体２の形状は、造礁群体サンゴの種類に応じて工夫する。つまり、造礁群体サンゴの種類によって形状はまちまちであるから、別の物体２を付着させるようとする造礁群体サンゴの形状に応じて、別の物体２の形状を工夫する。
【００２７】
樹枝状ミドリイシ類、ハマサンゴ類、コモンサンゴ類、トゲサンゴ類などのような枝状のサンゴに付着させる場合は、別の物体２としては、棒状体が適している。サイズは、長さ５〜２０ｃｍ程度、直径３〜１０ｍｍ程度が適している。
【００２８】
そして、図２のように、針金や合成樹脂製などの紐類３をサンゴ群体１と別の物体２に巻き付けて固定する。別の物体２の片側または両側に直径１〜３ｍｍ、長さ５〜２０ｃｍ程度の釘ないし鉄棒５を差し込んで固定しておき、この鉄棒５をサンゴ群体に縛りつけることで固定してもよい。
【００２９】
テーブル状ミドリイシ類などのようなテーブル状をしたサンゴ類やハマサンゴ類やキクメイシ類のような塊状ないし被覆状、葉状などのサンゴ群体の場合は、半円状や円形、長方形の板状に形成して付着用の物体とする。このような形状の場合は、針金などで縛りつけるのは困難であるから、波浪で流されないように、接着剤で接着したり、隙間に差し込んだり、打ち込んだりして、動かないように固定する。
【００３０】
また、付着させる手法も、付着される造礁群体サンゴの種類や形状に応じて工夫する。例えば、枝状のサンゴの場合は、紐やバンドなどで縛りつけてもよいし、クリップなどで挟み付けて固定してもよい。
【００３１】
あるいは、長い紐材やテープ状のものを例えば螺旋状に巻き付けておき、その上に造礁群体サンゴを増殖拡張させてもよい。そして、紐材やテープ状体を枝状サンゴ類から解いて、拡張した造礁群体サンゴと一緒に、別の位置に移植する。この場合は、解いた紐材やテープ状体を、別の位置の枝状サンゴ類などに再度巻き付けておくと、当該枝状サンゴ類から新たな生きた枝状サンゴ類が成長していく。
【００３２】
別の物体２としては、予め無節サンゴモなどを付着させておくと、サンゴ群体の拡張被覆が容易に行われる。しかしながら、別の物体２に無節サンゴモなどが付着増殖するには時間がかかりすぎるので、代わりに特殊塗料などを塗布しておくことが効率的である。
【００３３】
例えば鉄分などを含んだ特殊の塗料を塗布しておくと、造礁群体サンゴが付着し増殖しやすいことが言われている。したがって、このような特殊塗料などを予め塗布した物体２を用いると、短期間に造礁群体サンゴが拡張し被覆する。なお、造礁群体サンゴが付着し増殖しやすい物質であれば、塗料に限られない。
【００３４】
元の造礁群体サンゴから分割した拡張部分４の移植先としては、海底の岩盤に孔を開けて、その中に前記の鉄棒５を差し込み、水中ボンド（登録商標）で固定する。あるいは、前記の別の物体２の下端を研磨して、岩盤に形成した凹部に挿入し、水中ボンド（登録商標）で固定する。
【００３５】
また、死滅した枝状サンゴの先端を平らに成形し、前記の別の物体２の下端を研磨清掃してから、水中ボンドで接着してもよい。あるいは、枝状サンゴの枝状部に、別の物体２や鉄棒５の部分を針金などで縛りつけてもよい。
【００３６】
砂地の場合は、杭を打ち込んで、該杭に別の物体２を接着したり、別の物体２や鉄棒５を縛りつけてもよい。
【００３７】
海底に限らず、陸上の水槽に移植することもできる。例えば、観賞用の水槽に固定用の石を入れおき、この石を海底の岩盤代わりにして、前記の別の物体２を固定する。そして、海水を入れておけば、室内でもサンゴの成長を観賞できる。この場合、水槽内の水温や透明度、塩分、日照などを、サンゴの生育に適した環境にしておくことは当然である。
【００３８】
なお、枝状サンゴ類を例に説明したが、本発明は、枝状サンゴ類に限定されるものではなく、造礁群体サンゴであれば、各種のサンゴに適用できる。実験の結果でも、テーブルサンゴの上に、別の物体を単に載せて置くだけでも、当該物体の上まで拡張してきた。
【００３９】
【発明の効果】
請求項１によると、造礁群体サンゴの生きているサンゴ群体部分を他の物体まで拡張被覆さてから、該物体を前記のようにして拡張被覆した部分とともに分離して、別の場所に移植し、成長させるので、単なる移植ではなく、拡張させてから、当該拡張部を分割するので、確実に増殖できる。その結果、分割される方のサンゴ群体のダメージを最小限に抑えることができる。
【００４０】
請求項２によると、既に死滅した造礁群体サンゴの一部に、前記のようにして拡張被覆させたサンゴ群体を分割し、移植するので、一度死滅した造礁群体サンゴを元に蘇らせることができる。
【００４１】
請求項３のように、生きているサンゴ群体部分に付着させる他の物体として、合成樹脂片、木片、死滅したサンゴ片、死骸、礫、琉球石灰岩の加工物又は琉球石灰岩を粉粒状に潰して成型した物の中のいずれかを利用できるため、いろいろな材質を使用できる。また、死滅した自然のサンゴ片や礫を使用すると、合成樹脂製の物体を使用する場合よりは、環境破壊にならない。しかし、木片も合成樹脂などの片でも、サンゴ群体が被覆し、拡張することが認められたので、他の物体としては、サンゴ片や琉球石灰岩製の成型品に限られず、いろいろな材質を使用できる。
【図面の簡単な説明】
【図１】  本発明を枝状サンゴ類に実施した例の全容を示す図である。
【図２】  図１における枝状サンゴ類先端部の拡大図である。
【図３】  図２に対応する図で、サンゴ群体が別の物体上まで拡張してきた状態である。
【図４】  図３の別の物体と拡張部分を一緒に分離した状態である。
【図５】  図３の別の物体を取り除いた後の状態を示す図である。
【符号の説明】
１  枝状サンゴ類先端の生きているサンゴ群体部分
２  枝状サンゴ類に付着させた別の物体
３  紐などの付着手段
４  拡張被覆部分
５  鉄棒
６  別の物体による陰の死滅部分
【図１】
0003697377.tif 000002
【図２】
0003697377.tif 000003
【図３】
0003697377.tif 000004
【図４】
0003697377.tif 000005
【図５】
0003697377.tif 000006